(57)【要約】【課題】適切な制御を実行することで、空気浄化機能の優れた空気調和機を提供すること。【解決手段】吸込口１１と、吸込口１１から空気を吸い込ませるファン２０と、ファン２０の回転により発生する空気流が吹き出す吹出口１２と、空気流と熱交換する熱交換器３０と、空気清浄フィルタ８０とを備え、空気流が熱交換器３０と熱交換する空調運転モードと、空気流の少なくとも一部が、空気清浄フィルタ８０を通過する空気清浄運転モードと、を有し、空気清浄運転モードにおけるファン２０の設定回転数を、空調運転モードにおけるファン２０の少なくとも最低設定回転数よりも大きくしたことを特徴とする空気調和機で、空気浄化機能の優れた空気調和機を提供できる。【選択図】図１
2019023529.tif 000002
【特許請求の範囲】
【請求項１】
吸込口と、前記吸込口から空気を吸い込ませるファンと、
前記ファンの回転により発生する空気流が吹き出す吹出口と、
前記空気流と熱交換する熱交換器と、
空気清浄フィルタと、制御装置と、を備え、
前記空気流が前記熱交換器と熱交換する空調運転モードと、
前記空気流の少なくとも一部が、前記空気清浄フィルタを通過する空気清浄運転モードと、を有し、
前記空気清浄運転モードにおける前記ファンの設定回転数を、前記空調運転モードにおける前記ファンの少なくとも最低設定回転数よりも大きくしたことを特徴とする空気調和機。
【請求項２】
前記空気清浄フィルタの配置位置を移動させる移動装置を備え、前記空気清浄運転モードにおいて、前記移動装置が前記空気清浄フィルタを移動完了後に、前記ファンの回転数は設定回転数に到達する構成としたことを特徴とする前記請求項１に記載の空気調和機。
【請求項３】
前記空気清浄フィルタの配置位置を移動させる移動装置を備え、前記空気清浄運転モードにおいて、前記移動装置が前記空気清浄フィルタを移動中、または、移動完了と同時に、前記ファンの回転数は設定回転数に到達する構成としたことを特徴とする前記請求項１に記載の空気調和機。
【請求項４】
前記空調運転モードおよび前記空気清浄運転モードは、それぞれ前記ファンの設定回転数を複数備え、前記空調運転モードにおける前記ファンの設定回転数に対して増加させる回転数の値は、前記空調運転モードにおける前記ファンの設定回転数が、小さい設定値よりも大きい設定値の方を大きくしていることを特徴とする前記請求項１〜３のいずれか１項に記載の空気調和機。
【請求項５】
空気中に含まれる塵埃の少なくとも有無を検知する塵埃検知センサを備え、前記塵埃検知センサの塵埃の検出値の値が、小さい値のときよりも大きい値のときに、前記ファンを大きい回転数にて駆動させることを特徴とする前記請求項１〜４のいずれか１項に記載の空気調和機。
【請求項６】
空気中に含まれる塵埃の少なくとも有無を検知する塵埃検知センサを備え、前記空調運転モードの実行中に、前記塵埃検知センサが塵埃を所定値以上検出した場合には、前記空気清浄運転モードも同時に実行される構成としたことを特徴とする前記請求項１〜５のいずれか１項に記載の空気調和機。
【請求項７】
前記空気清浄運転モードの実行時には、前記移動装置が前記空気清浄フィルタを、前記吸込口に対向する位置に移動させる構成としたことを特徴とする前記請求項１〜６のいずれか１項に記載移動装置の空気調和機。
【発明の詳細な説明】
【技術分野】
【０００１】
本発明は、空気清浄フィルタを備えた空気調和機に関するものである。
【背景技術】
【０００２】
特許文献１は、気流の通風抵抗を増やさずに気流の清浄度を高めることができる空気調和機を提案している。
【０００３】
特許文献１は、気流の通路の横断面に開口面を区画する筐体と、第１区画に粗塵用フィルタを第２区画に空気清浄フィルタを有するエアフィルタと、開口面に空気清浄フィルタを配置する第１位置、および、開口面から少なくとも部分的に空気清浄フィルタをずらす第２位置との間でエアフィルタを駆動する駆動部材とを備えている。
【０００４】
そして、特許文献１の空気調和機によれば、開口面に空気清浄フィルタが位置すると、気流は空気清浄フィルタを通過することで空気清浄機能は実現される。また、開口面から空気清浄フィルタがずらされると、開口面には粗塵用フィルタが位置し、粗塵用フィルタがエアフィルタとして機能するため、通風抵抗の増大は回避される。このように、必要なときにだけ空気清浄機能が実現されることで、空気調和機は通風抵抗の増加を抑制しつつ気流の清浄度を高めることができる。
【先行技術文献】
【特許文献】
【０００５】
【特許文献１】特開２０１６−１８３７９４号公報
【発明の概要】
【発明が解決しようとする課題】
【０００６】
しかしながら、特許文献１の空気調和機においては、空気清浄機能を実行する際の制御技術等に関しては一切開示されていない。
【０００７】
本発明は、前記従来の課題を解決するもので、適切な制御を実行することで、空気浄化機能の優れた空気調和機を提供することを目的とする。
【課題を解決するための手段】
【０００８】
前記従来の課題を解決するために本発明の空気調和機は、吸込口と、前記吸込口から空気を吸い込ませるファンと、前記ファンの回転により発生する空気流が吹き出す吹出口と、前記空気流と熱交換する熱交換器と、空気清浄フィルタと、制御装置と、を備え、前記空気流が前記熱交換器と熱交換する空調運転モードと、前記空気流の少なくとも一部が、前記空気清浄フィルタを通過する空気清浄運転モードと、を有し、前記空気清浄運転モードにおける前記ファンの設定回転数を、前記空調運転モードにおける前記ファンの少なくとも最低設定回転数よりも大きくしたことを特徴とするものである。
【０００９】
これによれば、空調運転モードにおけるファンの少なくとも最低設定回転数よりも大きくした設定回転数にて、空気清浄運転モードは実行されるので、空気浄化機能の優れた空気調和機を提供できる。
【発明の効果】
【００１０】
本発明によれば、空気浄化機能の優れた空気調和機を提供できる。
【図面の簡単な説明】
【００１１】
【図１】本発明の実施の形態１における空気調和機の空調運転モード時の室内機の縦断面図
【図２】同空気調和機の空気清浄運転モード時の室内機の縦断面図
【図３】同空気調和機の空気清浄運転モード時の室内機の縦断面図
【発明を実施するための形態】
【００１２】
第１の発明は、吸込口と、前記吸込口から空気を吸い込ませるファンと、前記ファンの回転により発生する空気流が吹き出す吹出口と、前記空気流と熱交換する熱交換器と、空気清浄フィルタと、制御装置と、を備え、前記空気流が前記熱交換器と熱交換する空調運転モードと、前記空気流の少なくとも一部が、前記空気清浄フィルタを通過する空気清浄運転モードと、を有し、前記空気清浄運転モードにおける前記ファンの設定回転数を、前記空調運転モードにおける前記ファンの少なくとも最低設定回転数よりも大きくしたことを特徴とする空気調和機である。
【００１３】
これによれば、空調運転モードにおけるファンの少なくとも最低設定回転数よりも大きくした設定回転数にて、空気清浄運転モードは実行されるので、空気浄化機能の優れた空気調和機を提供できる。
【００１４】
第２の発明は、特に、第１の発明において、前記空気清浄フィルタの配置位置を移動させる移動装置を備え、前記空気清浄運転モードにおいて、前記移動装置が前記空気清浄フィルタを移動完了後に、前記ファンの回転数は設定回転数に到達する構成としたことを特徴とするものである。
【００１５】
これによれば、移動装置が空気清浄フィルタを移動完了後に、ファンの回転数は設定回転数に到達するので、風量が設定値へと増加後の空気流が、空気清浄フィルタを通過する際の通風抵抗に大きな変化はないため、送風音の変動を抑制した空気調和機を提供できる。
【００１６】
第３の発明は、特に、第１の発明において、前記空気清浄フィルタの配置位置を移動させる移動装置を備え、前記空気清浄運転モードにおいて、前記移動装置が前記空気清浄フィルタを移動中、または、移動完了と同時に、前記ファンの回転数は設定回転数に到達する構成としたことを特徴とするものである。
【００１７】
これによれば、移動装置が空気清浄フィルタを移動中、または、移動完了と同時に、ファンの回転数は設定回転数に到達するので、風量が設定値へと増加中あるいは増加後の空気流に含まれる塵埃を、早くから空気清浄フィルタの一部で集塵できるため、空気浄化機能の優れた空気調和機を提供できる。
【００１８】
第４の発明は、特に、第１から第３のいずれかの発明において、前記空調運転モードおよび前記空気清浄運転モードは、それぞれ前記ファンの設定回転数を複数備え、前記空調運転モードにおける前記ファンの設定回転数に対して増加させる回転数の値は、前記空調運転モードにおける前記ファンの設定回転数が、小さい設定値よりも大きい設定値の方を大きくしていることを特徴とするものである。
【００１９】
これによれば、高風量設定の場合には空気浄化機能を向上でき、低風量設定の場合には低騒音化を実現できるため、使用性の高い空気清浄機能を備えた空気調和機を提供できる。
【００２０】
第５の発明は、特に、第１から第４のいずれかの発明において、空気中に含まれる塵埃の少なくとも有無を検知する塵埃検知センサを備え、前記塵埃検知センサの塵埃の検出値の値が、小さい値よりも大きい値のときに、前記ファンを大きい回転数にて駆動させることを特徴とするものである。
【００２１】
これによれば、空気清浄運転モードの実行中において、空気の清浄度が低い場合には、風量設定を高くすることで、空気浄化機能の優れた空気調和機を提供できる。
【００２２】
第６の発明は、特に、第１から第５のいずれかの発明において、空気中に含まれる塵埃の少なくとも有無を検知する塵埃検知センサを備え、前記空調運転モードの実行中に、前記塵埃検知センサが塵埃を所定値以上検出した場合には、前記空気清浄運転モードも同時に実行される構成としたことを特徴とするものである。
【００２３】
これによれば、空調運転モード実行時においても、空気の清浄度が低い場合には、空気清浄運転モードも実行されるので、使用性の高い空気清浄機能を備えた空気調和機を提供できる。
【００２４】
第７の発明は、特に、第１から第６のいずれかの発明において、前記空気清浄運転モードの実行時には、前記移動装置が前記空気清浄フィルタを、前記吸込口に対向する位置に移動させる構成としたことを特徴とするものである。
【００２５】
これによれば、吸込口に対向する位置に移動させることで、ファンの回転により発生する空気流の少なくとも一部が、空気清浄フィルタを通過する構成にできるため、空気清浄機能を向上させることができる。
【００２６】
以下、本発明の実施の形態について、図面を参照しながら説明する。なお、この実施の形態によって本発明が限定されるものではない。
【００２７】
（実施の形態１）
図１から図３は、本実施の形態１による空気調和機の室内機の縦断面図である。
【００２８】
本実施の形態による空気調和機は、室内機と室外機とから構成される。室内機と室外機とは冷媒配管及び制御配線により接続され、室内機と室外機とによりヒートポンプが構成される。室外機にはコンプレッサが設けられている。室内機は、室内の壁面に取り付けられる。また、制御配線により室内機と室外機内に配置されている制御装置（図示です）は通信している。
【００２９】
本実施の形態による空気調和機の室内機は、吸込口１１と吹出口１２とを形成する本体１と、本体１の前面に設ける前面パネル２とを備えている。ファン２０の回転により発生する空気流が吸込まれる吸込口１１は、本体１の上面に形成されている。
【００３０】
また、ファン２０の回転により発生する空気流が吹き出す吹出口１２は、本体１の下面に形成される。本体１の後面１３は壁面に取り付けられる。本体１の内部には、吸込口１１から空気を吸い込ませるファン２０と、吸込口１１から吸い込まれた空気と熱交換する熱交換器３０とを設けている。
【００３１】
ファン２０には、貫流ファン（クロスフローファン）が適している。ファン２０は、左右両端のいずれかの回転軸にファンモータを連結している（図示せず）。ファン２０の下流から吹出口１２の上流に至る下流空気流路４０は、ファン２０の下流に配置されて空気の流れを案内するリアガイダ４１と、このリアガイダ４１に対向して配置されたスタビライザ４２と、本体１の両側壁（図示せず）とで形成されている。
【００３２】
吹出口１２には、上下風向変更羽根５１と左右風向変更羽根５２とを設けている。左右風向変更羽根５２は上下風向変更羽根５１より上流側に配置している。上下風向変更羽根５１は、吹出口１２を開閉し、空気の吹き出しを上下方向に変更する。左右風向変更羽根５２は、空気の吹き出しを左右方向に変更する。
【００３３】
ファン２０の上流側の空気流路６０には、熱交換器３０とエアフィルタ７０と空気清浄フィルタ８０が配置されている。空気清浄フィルタ８０はエアフィルタ７０とは別体として形成されている。エアフィルタ７０は、比較的大きな塵埃を捕獲することを目的とした租塵用のフィルタである。
【００３４】
一方、空気清浄フィルタ８０は、前記エアフィルタ７０より通風抵抗が大きく、前記エアフィルタ７０を通過するような微粒子を捕獲することを目的としたフィルタであり、プリーツ式や不織布式が好ましい。なお、この空気清浄フィルタ８０に、脱臭フィルタ等の空気清浄フィルタ８０と異なる空気浄化機能を有する部材が、さらに設けられていても構わない。
【００３５】
移動装置９０は、空気清浄フィルタ８０の形状を変形させることなく、配置されているそのままの形状で、空気清浄フィルタ８０の配置位置を移動させる。移動装置９０は、例えばモータ９１と歯車９２とで構成され、空気清浄フィルタ８０の外枠に形成したラック８１に歯車９２を噛み合わせ、モータ９１で歯車９２を回転されることで空気清浄フィルタ８０を回転移動させる。これにより、空気清浄フィルタ８０を屈伸させないで、空気清浄フィルタ８０の配置位置を移動させることで、空気清浄フィルタ８０の劣化を防止できる。
【００３６】
空気清浄フィルタ８０の少なくとも一部は、円弧状または湾曲状である。空気清浄フィルタ８０の少なくとも一部を円弧状または湾曲状とすることで、空気清浄フィルタ８０を、限られた空間に空気清浄効率良く、配置することができるとともに、移動装置９０を簡素に構成することができる。
【００３７】
空気清浄フィルタ８０は、エアフィルタ７０より上流側の空気流路６０に配置する。空気清浄フィルタ８０をエアフィルタ７０より上流側の空気流路６０に配置することで、空気清浄フィルタ８０をエアフィルタ７０と熱交換器３０との間の空気流路６０に配置する場合と比較して、冷房運転時における結露による空気清浄フィルタ８０の性能低下を防止できる。
【００３８】
移動装置９０は、エアフィルタ７０より上流側の空気流路６０に配置することが好ましい。移動装置９０をエアフィルタ７０より上流側の空気流路６０に配置することで、移動装置９０をエアフィルタ７０と熱交換器３０との間の空気流路６０に配置する場合と比較して、冷房運転時における結露による移動装置９０への影響を少なくでき、更に移動装置９０による通風抵抗の増加を防止できる。
【００３９】
なお、空気清浄フィルタ８０をエアフィルタ７０より上流側の空気流路６０に配置し、移動装置９０をエアフィルタ７０と熱交換器３０との間の空気流路６０に配置することもできる。
【００４０】
本実施の形態による空気調和機は、少なくとも、冷房運転、暖房運転の空調運転と、空気清浄運転とを実行することができ、これら運転切り替えは、操作装置１００にて使用者が各運転の開始および停止の指示を行えるようになっている。
【００４１】
操作装置１００は、冷房運転の開始および停止を指示する操作スイッチ１０１、暖房運転の開始および停止を指示する操作スイッチ１０２、空気清浄運転の開始および停止を指示する操作スイッチ１０３を備えている。
【００４２】
また、空気中に含まれる塵埃の少なくとも有無を検知する塵埃検知センサ１１０を備えている。
【００４３】
本実施の形態による空気調和機は、空気清浄運転の開始を、操作スイッチ１０３にて使用者が指示し、塵埃検知センサ１１０が検出する空気の清浄度合いの結果、すなわち、塵埃検知センサ１１０が、空気中に含まれる塵埃の検出値に基づいて、移動装置９０は、空気清浄フィルタ８０の配置位置を移動させる。
【００４４】
すなわち、本実施の形態による空気調和機は、使用者が空気清浄運転の開始を指示する操作スイッチ１０３を操作し、塵埃検知センサ１１０が、空気中に含まれる塵埃を所定値以上検出した場合に、空気清浄機能を有効にさせる空気清浄運転を実行させるのである。
【００４５】
なお、使用者が空気清浄運転の開始を指示する操作スイッチ１０３を操作しても、塵埃検知センサ１１０の、空気中に含まれる塵埃の検出値が所定値未満である場合には、空気清浄機能を有効にさせる空気清浄運転は実行されない。
【００４６】
また、本実施の形態による空気調和機は、吸込口１１から吸い込まれた空気が、エアフィルタ７０を通過して熱交換器３０と熱交換する空調運転と、移動装置９０が、空気清浄フィルタ８０の配置位置を移動させ、吸込口１１から吸い込まれた空気が、エアフィルタ７０と空気清浄フィルタ８０と熱交換器３０とを通過する空気清浄運転とを少なくとも有している。
【００４７】
なお、使用者が操作スイッチ１０３にて空気清浄運転の開始を指示し、かつ、塵埃検知センサ１１０が、空気中に含まれる塵埃を所定値以上検出した場合には、空調運転と空気清浄運転とを同時運転する。ただし、この場合、空調運転において、暖房運転における暖房能力が所定値未満の設定の場合や、冷房運転における冷房能力が所定値未満の設定の場合に、空気清浄運転も同時に実行できるようにしている。これは、暖房能力や冷房能力が所定値以上の設定の場合、すなわち、速暖、速冷の必要な空調能力が所定値より大きい設定の場合においては、それを優先し、空気清浄フィルタ８０による通風抵抗の増加による空調能力の低下を防止することで、快適性を維持できるようにしているためである。
【００４８】
なお、この場合、暖房運転における暖房能力が所定値以上の設定の場合や、冷房運転における冷房能力が所定値以上の設定の場合、すなわち、空調能力が所定値より大きい設定の場合においても、空気清浄運転時におけるファン２０の設定回転数を、空調運転モードにおけるファン２０の設定回転数よりも大きくしていれば、空調能力の低下を抑制しつつ、空調運転と空気清浄運転とを同時運転も可能である。
【００４９】
さらには、塵埃検知センサ１１０を搭載せず、操作スイッチ１０３を、空気清浄運転の開始のみを指示する機能として、使用者が操作スイッチ１０３にて空気清浄運転の開始を指示した場合において、冷房運転や暖房運転の空調運転の停止後に、自動的に空気清浄運転の実行を開始し、所定時間後に空気清浄運転の実行を停止させるようにしてもよい。
【００５０】
以下、操作スイッチ１０１を使用者が操作した場合に開始する冷房運転、操作スイッチ１０２を使用者が操作した場合に開始する暖房運転は、空調運転モードのことである。操作スイッチ１０３を使用者が操作した場合に開始する空気清浄運転は、空気清浄運転モードのことである。
【００５１】
空気清浄運転モードにおけるファン２０の設定回転数は、空調運転モードにおけるファン２０の少なくとも最低設定回転数よりも大きくしている。例えば、空調運転モードにおけるファン２０が、「弱」「中」「強」の回転数に変更できる場合に、空気清浄運転モードにおけるファン２０の設定回転数は、それに対して所定値増加させた回転数としている。
【００５２】
そして、その空調運転モードにおけるファン２０の設定回転数に対して、増加させる回転数の値は、空調運転モードにおけるファン２０の設定回転数が小さい設定値よりも、大きい設定値の方を大きくしている。すなわち、空調運転モードにおけるファン２０が「弱」よりも「強」の方に対して大きな値を増加させて、空気清浄運転モードにおけるファン２０の設定回転数を設定している。
【００５３】
このように、空気清浄運転モードにおけるファン２０の設定回転数を、空調運転モードにおけるファン２０の設定回転数よりも大きくすることで、空気清浄フィルタ８０による通風抵抗の増加による、吸込口１１への吸込み風量の低下を抑制し、空気清浄機能を十分に発揮できる風量を確保することができる。
【００５４】
なお、少なくとも空気清浄運転モードにおける「強」のファン２０の設定回転数を、空調運転モードにおける「強」のファン２０の設定回転数よりも大きくすることで、空気清浄運転モードにおける空気清浄能力の向上や、空調運転モードと空気清浄運転モードとの同時運転時において、空調能力が所定値より大きい設定のときの、空調能力の低下を抑制に関しては特に有効である。
【００５５】
以上のように構成された空気調和機について、以下その動作について説明する。なお、空調運転モード及び空気清浄運転モードでは、いずれも上下風向変更羽根５１は吹出口１２を開いた状態にあるが、図１から図３では、いずれも空気清浄フィルタ８０の動作だけを示している。
【００５６】
図１は、空気調和機の空調運転停止時及び空調運転モード時の室内機の縦断面図である。
【００５７】
空調運転停止時及び空調運転モード時の状態においては、空気清浄フィルタ８０は、本体１内、すなわち空気流路６０外に収納されている。収納状態では、空気清浄フィルタ８０は、前面パネル２の内方に配置され、空気清浄フィルタ８０の上端側に歯車９２が位置する。従って、空気清浄フィルタ８０は、エアフィルタ７０の上流側の吸込口１１、すなわち空気流路６０を覆わない。この状態では、空気清浄機能は働かない。
【００５８】
図２及び図３は、空気調和機の空気清浄運転モード時の室内機の縦断面図である。
【００５９】
図２では、空気清浄フィルタ８０の一部が、エアフィルタ７０の上流側の吸込口１１、すなわち空気流路６０の一部を覆い、図３では、空気清浄フィルタ８０の全てが、エアフィルタ７０の上流側の吸込口１１、すなわち、空気流路６０の一部を覆っている。
【００６０】
図２の状態では、空気清浄フィルタ８０の中央部分に歯車９２が位置し、図３の状態では、空気清浄フィルタ８０の下端側に歯車９２が位置する。
【００６１】
使用者が操作スイッチ１０３により、空気清浄運転モードの実行開始を指示し、塵埃検知センサ１１０が空気中に含まれる塵埃を所定値以上検出した場合、または、使用者が操作スイッチ１０３により、空気清浄運転モードの実行開始を指示して、空気清浄運転モードを実行開始させる場合の、すなわち空気清浄運転モードを実行開始させる場合には、モータ９１を正回転させることで、空気清浄フィルタ８０は、図１の状態から図２の状態に回動し、形状が変形することなく、配置されているそのままの形状で配置位置が移動し、更にモータ９１を正回転させることで、空気清浄フィルタ８０は、図２の状態から図３の状態に屈伸することなく回動し、形状が変形することなく、配置されているそのままの形状で、吸込口１１に対向する位置へと、配置位置が移動する。
【００６２】
つまり、吸込口１１、すなわち、空気流路６０を覆う流路面積が大きくなる方向に、空気清浄フィルタ８０は配置移動し、ファン２０の回転により発生する空気流の少なくとも一部が、空気清浄フィルタ８０を通過するする。
【００６３】
一方、使用者が操作スイッチ１０３により、空気清浄運転モードの実行停止を指示した場合、または、塵埃検知センサ１１０の空気中に含まれる塵埃の検出値が所定値未満の場合、または、空調運転後に自動停止する場合の、すなわち、空気清浄運転モードを実行停止させる場合には、モータ９１を逆回転させることで、空気清浄フィルタ８０は、図３の状態から図２の状態に屈伸することなく回動し、形状が変形することなく、配置されているそのままの形状で配置位置が移動し、更にモータ９１を逆回転させることで、空気清浄フィルタ８０は、図２の状態から図１の状態に屈伸することなく回動し、形状が変形することなく、配置されているそのままの形状で配置位置が移動する。
【００６４】
つまり、吸込口１１、すなわち、空気流路６０を覆う流路面積が小さくなる方向に、空気清浄フィルタ８０は配置移動する。
【００６５】
すなわち、塵埃検知センサ１１０を備えた場合においては、塵埃検知センサ１１０による検出値に基づいて、空気清浄運転モードの実行を判断し、移動装置９０が、空気清浄フィルタ８０の配置位置を図１の状態と図３の状態とで移動させるようにしている。
【００６６】
そして、塵埃検知センサ１１０の塵埃の検出値の値が、小さい値のときよりも大きい値のときに、ファン２０を大きい設定回転数にて駆動させることで、空気の清浄度が低い場合には、風量設定を高くすることで、空気浄化機能をより向上させている。
【００６７】
また、移動装置９０が、空気清浄フィルタ８０を、図１の配置位置から図２の配置位置に移動させ、図３の配置位置に移動完了後に、ファン２０の回転数が設定回転数に到達するようにしている。これにより、移動装置９０が空気清浄フィルタ８０を移動完了後に、ファン２０の回転数は設定回転数に到達するので、風量が設定値へと増加後の空気流が、空気清浄フィルタ８０を通過する際の通風抵抗に大きな変化はないため、送風音の変動を抑制できる。
【００６８】
一方、移動装置９０が、空気清浄フィルタ８０を、図１の配置位置から、図２の配置位置または図３の配置位置に移動中、または、図３の配置位置に移動完了と同時に、ファン２０の回転数が定回転数に到達するようにしてもよい。これにより、移動装置９０が空気清浄フィルタ８０を移動完了中、または、移動完了と同時に、ファン２０の回転数は設定回転数に到達するので、前記空気清浄フィルタ８０に移動完了後に、ファン２０の回転数が設定回転数に到達する場合と空気清浄フィルタ８０の移動速度を同一として比較した場合、前記風量が設定値へと増加中、あるいは、増加後の空気流に含まれる塵埃を、早くから空気清浄フィルタ８０の一部やエアフィルタ７０で集塵できるため、空気浄化機能を向上できる。
【００６９】
なお、塵埃検知センサ１１０による塵埃の検出値に基づいて、空気清浄フィルタ８０の配置位置を変更するようにしてもよい。例えば、塵埃検知センサ１１０による塵埃の検出値が大きい場合には、空気清浄フィルタ８０を図３に示す位置に配置し、検出値が図３に示す場合よりも小さければ、空気清浄フィルタ８０を図２に示す位置に配置するように切り替える仕様としてもよい。
【００７０】
また、空気清浄運転モードにおいて、強運転と弱運転との切り替えを指示できるようにして、強運転が指示された場合には、図３に示す空気清浄フィルタ８０の配置位置とし、弱運転が指示された場合には、図２に示す空気清浄フィルタ８０の配置位置としてもよい。
【００７１】
また、本実施の形態では、空気清浄運転モードにおける空気清浄フィルタ８０の配置位置を、図２の状態と図３の状態との２段階で説明したが、３段階以上の配置位置とすることもできる。
【００７２】
また、本実施の形態による空気調和機は、室内機の本体１の前面に表示部１１１を備えている。塵埃検知センサ１１０が検出する空気の清浄度合いの結果、すなわち、塵埃検知センサ１１０が検出した空気中に含まれる塵埃の検出値に基づいて、空気の清浄度合いを「きれい」「やや汚れている」「汚れている」等に判定、分類し、それぞれ識別できるように表示色を変更し、表示部１１１に表示することで、空清清浄の必要性を、使用者に報知している。なお、この空気の清浄度合いが「汚れている」の場合に、音声を含む警告音により、空清清浄の必要性を、使用者に報知する構成としてもよい。
【００７３】
さらには、本体１に無線アダプタ（図示せず）を取り付け、その無線アダプタと送受信可能なネットワーク送受信機（図示せず）が、無線ルーター（図示せず）を介して、スマートフォン等のネットワーク端末機に、この塵埃検知センサ１１０が検出した結果を表示し、空清清浄の必要性を、使用者がスマートフォン等のネットワーク端末機にて確認できる構成としてもよい。
【００７４】
また、本実施の形態による空気調和機は、空気清浄運転モードの実行中に、塵埃検知センサ１１０の検出値が、所定時間以内に所定値未満にならない場合には、表示部１１１に警告色を表示することで、空気清浄フィルタ８０の交換の必要性を、使用者に報知している。なお、この空気清浄フィルタ８０の交換の必要性を、音声を含む警告音により、空気清浄フィルタ８０の交換の必要性を、使用者に報知する構成としてもよい。
【００７５】
さらには、本体１に無線アダプタ（図示せず）を取り付け、その無線アダプタと送受信可能なネットワーク送受信機（図示せず）が、無線ルーター（図示せず）を介して、スマートフォン等のネットワーク端末機に、この空気清浄フィルタ８０の交換の必要性を、表示し、使用者に報知する構成としてもよい。
【産業上の利用可能性】
【００７６】
本発明の空気調和機は、適切な制御を実行することで、使用性の高い空気清浄機能を備えた空気調和機を提供できるので、家庭用のみならず業務用等の空気調和機の用途にも適用できる。
【符号の説明】
【００７７】
１  本体
２  前面パネル
１１  吸込口
１２  吹出口
１３  後面
２０  ファン
３０  熱交換器
４０  下流空気流路
４１  リアガイダ
４２  スタビライザ
５１  上下風向変更羽根
５２  左右風向変更羽根
６０  空気流路
７０  エアフィルタ
８０  空気清浄フィルタ
８１  ラック
９０  移動装置
９１  モータ
９２  歯車
１００  操作装置
１０１、１０２、１０３  操作スイッチ
１１０  塵埃検知センサ
１１１  表示部
【図１】
2019023529.tif 000003
【図２】
2019023529.tif 000004
【図３】
2019023529.tif 000005